(57)【要約】【課題】被処理物（人参など）ｗなどの１個づつを一定間隔で搬送する個別搬送を、被処理物ｗの折損を生じることなく、高い確率で生成させる。【解決手段】  収容箱ｐ１内に収容された多数の被処理物ｗが支持面１ａ上の前後方向へ一定間隔毎に、被処理物ｗの係止部材５を並列させて連続的に移動させ、且つ支持面１ａは、その一定範囲が被処理物ｗを支持面１ａ上の左右何れか片側へ向う送り力を付与されて移動するようになされており、このあとの上方へ向う支持面１ａ上には上記片側の一定範囲ｈ１に移動してきた被処理物端縁部の一定長さ範囲を支持面１ａとの間に押圧把持する弾性押圧手段２８を設け、一方では上記片側の一定範囲ｈ１の横方となる他側範囲ｈ２に、係止部材５が支持面１ａ上を押し上げ移動させる被処理物ｗを該係止部材５の上側を経て落下させるように案内する可動係合部材２７を設けて実施される。【選択図】図３
2008001487.tif 000002
【特許請求の範囲】
【請求項１】
収容箱内に収容された多数の被処理物の前方で、前上り傾斜面をなした支持面上の前後方向へ一定間隔毎に、被処理物の係止部材を並列させて連続的に移動させ、且つ上記の下方から上方へ向う支持面は、その一定範囲が被処理物を支持面上の左右何れか片側へ向う送り力を付与されて移動するようになされており、このあとの上方へ向う支持面上には上記片側の一定範囲に移動してきた被処理物端縁部の一定長さ範囲を支持面との間に押圧把持する弾性押圧手段を設け、一方では上記片側の一定範囲の横方となる他側範囲に、係止部材が支持面上を押し上げ移動させる被処理物を該係止部材の上側を経て落下させるように案内する可動係合部材を設け、弾性押圧手段で押圧把持された被処理物のみが係止部材に支持面上をさらに上方へ押し移動されるように実施することを特徴とする人参などの個別搬送方法。
【請求項２】
係合部材は係止部材の移動に連動して該移動に支障のない位置へ適時に退避移動させるように実施することを特徴とする請求項１記載の人参などの個別搬送方法。
【請求項３】
収容箱内に収容された多数の被処理物の前方で、前上り傾斜面をなした支持面上の前後方向へ一定間隔毎に、被処理物の係止部材を並列させて連続的に移動させる被処理物押し移動手段を形成し、且つ、上記前上がり傾斜面の下方から上方へ向う支持面は、その一定範囲が被処理物を支持面上の左右何れか片側へ向わせる送り力を付与するように移動するものとなし、さらに該一定範囲の上側の支持面上には上記片側の一定範囲に移動してきた被処理物端縁部の一定長さ範囲を支持面との間に押圧把持する弾性押圧手段を設け、一方では上記片側の一定範囲の横方となる他側範囲に、係止部材により支持面上を押し上げ移動される被処理物を該係止部材の上側を経て落下させるように案内する可動係合部材を設けた構成を特徴とする人参などの個別搬送装置。
【請求項４】
係合部材が上記他側範囲の支持面に形成された透孔内に配置され且つ支持面と同体状に設けられた左右向き支持軸回りの上下揺動可能に且つ弾性部材の弾力により最上位置に保持されるように装着されると共に支持面上を移動される係止部材に押されることにより弾力に抗して他側範囲の支持面の下方へ退避移動されることを特徴とする請求項３記載の人参などの個別搬送装置。
【請求項５】
可動係合部材を上記他側範囲の左右方向の凡そ数ｃｍ〜１０ｃｍ程度の間隔となるように複数設けたことを特徴とする請求項３又は４記載の人参などの個別搬送装置。
【発明の詳細な説明】
【技術分野】
【０００１】
本発明は収容箱内の被処理物の１個づつを一定間隔ごとに搬送することを可能とした人参などの個別搬送方法及び装置に関する。
【背景技術】
【０００２】
人参などのような農作物を例えば重量選別装置により階級選択するといったような場合に被処理物としての農作物を、選別装置の受皿群の移動タイミングに同期して特定位置に順次に到達する各受皿にその上方から一個づつ供給しなければならないことがあるが、このような作業は煩わしいことから、出願人は、被処理物を適宜な一定間隔で特定位置に１つづつ供給するための供給装置を創案し、既に市場に提供している。
【０００３】
この供給装置では、収容箱内に収容された多数からなる被処理物群のうちの１個〜数個づつの被処理物を前後方向の一定間隔に配列した状態で支持面上を前方へ移動させる過程で、前記した１個〜数個づつの被処理物に横送り力を付与することにより、被処理物の１個づつが前後方向の一定間隔に配列された状態で前方へ移動される搬送（個別搬送）が生成されるのであり、このような個別搬送は、選別装置の選別性能を良好となす上で重要である。
【０００４】
【特許文献１】特公平０５−２０３２６号公報
【発明の開示】
【発明が解決しようとする課題】
【０００５】
上記特許文献１に開示された在来の供給装置の機能をさらに向上させるため、出願人は先行する出願（特願２００６−１２２９１０）において、収容箱内に収容された多数の被処理物の前方で、前上り傾斜面をなした支持面上の前後方向へ一定間隔毎に、被処理物の係止部材を並列させて連続的に移動させるものとなして、且つ上記の下方から上方へ向う支持面は、その一定範囲が被処理物を支持面上の左右何れか片側へ向う送り力を付与されて移動するようになされており、このあとの上方へ向う支持面は上記被処理物の移動される片側の一定範囲を除いて欠落させ、上記の片側へ移動された被処理物以外が落下される落下口となすほか、上記片側の一定範囲には移動してきた被処理物端縁部の一定長さ範囲を、上記支持面と上方からの弾性押圧手段とで押圧把持させながら実施される人参などの個別搬送方法を実現させるための装置を提示している。
【０００６】
しかし、この方法によれば、個別搬送性能が従来のものよりも改善されるものの、落下口が存在するため、この落下口内に落下しつつある人参などの被処理物が稀に係止部材に押されて折損することがある。
【０００７】
本発明は上記した先行する出願に係る個別搬送方法を実現する装置の問題点を解消して、人参などの個別搬送性能をさらに向上させることを目的とするものである。
【課題を解決するための手段】
【０００８】
上記目的を達成するため本発明に係る人参などの個別搬送方法は、請求項１に記載したように、収容箱内に収容された多数の被処理物の前方で、前上り傾斜面をなした支持面上の前後方向へ一定間隔毎に、被処理物の係止部材を並列させて連続的に移動させ、且つ上記の下方から上方へ向う支持面は、その一定範囲が被処理物を支持面上の左右何れか片側へ向う送り力を付与されて移動するようになされており、このあとの上方へ向う支持面上には上記片側の一定範囲に移動してきた被処理物端縁部の一定長さ範囲を支持面との間に押圧把持する弾性押圧手段を設け、一方では上記片側の一定範囲の横方となる他側範囲に、係止部材が支持面上を押し上げ移動させる被処理物を係止部材の上側を経て落下させるように案内する可動係合部材を設け、弾性押圧手段で押圧把持された被処理物のみが係止部材に支持面上をさらに上方へ押し移動されるように実施することを特徴とするものである。
【０００９】
この発明では、請求項２に記載したように、可動係合部材は各係止部材の移動に連動して該移動に支障のない位置へ適時に退避移動させるように実施する。
【００１０】
次に本発明に係る人参などの個別搬送装置は、請求項３に記載したように、収容箱内に収容された多数の被処理物の前方で、前上り傾斜面をなした支持面上の前後方向へ一定間隔毎に、被処理物の係止部材を並列させて連続的に移動させる被処理物押し移動手段を形成し、且つ、上記前上がり傾斜面の下方から上方へ向う支持面は、その一定範囲が被処理物を支持面上の左右何れか片側へ向わせる送り力を付与するように移動するものとなし、さらに該一定範囲の上側の支持面上には上記片側の一定範囲に移動してきた被処理物端縁部の一定長さ範囲を支持面との間に押圧把持する弾性押圧手段を設け、一方では上記片側の一定範囲の横方となる他側範囲に、係止部材により支持面上を押し上げ移動される被処理物を係止部材の上側を経て落下させるように案内する可動係合部材を設けた構成とする。
【００１１】
本発明は次のように具体化される。
即ち、請求項４に記載したように、可動係合部材が前記他側範囲の支持面に形成された透孔内に配置され且つ左右向き支持軸回りの上下揺動可能に且つ弾性部材の弾力により最上位置に保持されるように装着されると共に、支持面上を移動される係止部材に押されることにより弾力に抗して前記他側範囲の支持面の下方へ退避移動される構成とする。
【００１２】
また請求項５に記載したように、可動係合部材を前記他側範囲の左右方向の凡そ数ｃｍ〜１０ｃｍ程度の間隔となるように複数設けるのがよい。
【発明の効果】
【００１３】
上記した本発明によれば、次のような効果が得られる。
即ち、請求項１記載の発明によれば、収容箱内の多数の被処理物のうち１個又は複数個が各係止部材で前上がり傾斜された支持面上を押し上げられてその支持面の一定範囲に達したとき左右一側へ向かう送り力を付与されるが、このとき、各係止部材で押し上げられる被処理物が複数であっても、これら複数の被処理物は殆どの場合に支持面上で左右配置となって左右一側へ送られた状態となり、このまま、さらに前方の支持面上に達したとき、該支持面の左右一側の端縁上に位置した被処理物のみが支持面と弾性押圧手段とで押圧把持されてさらに前方へ押し移動されるものとなり、一方、他側範囲に達した他の被処理物は可動係合部材で支持面上を逆流するように落下して前方への移動を阻止されるものとなるのであり、このような処理が繰り返されることにより、収容箱内の多数の被処理物の１個づつが一定間隔で搬送される個別搬送が生成されるものとなり、この結果、落下口や弾性押圧手段の形成されない公知の個別搬送手段に比べ、一層確実に被処理物の１個づつの搬送を実現させることができ、選別装置による人参などの選別を一層的確に行わせることができるほか、特許文献１に開示された既存の供給装置の構造を殆どそのまま使用して実施できるものである。
【００１４】
また落下口や弾性押圧手段を使用した既述の先行する個別搬送方法において落下口の存在に起因して発生していた被処理物の折損の問題が解消されるものとなり、収容箱内の多数の被処理物の１個づつが一定間隔で搬送される個別搬送が落下口やこれに関連した被処理物処理部材を要することなく一層的確に生成されるものとなる。
【００１５】
請求項２記載のものによれば、係止部材により支持面上を前方へ押し移動される余分な被処理物が可動係合部材の存在した他側範囲を通過してさらに前方の支持面上に移動されるのを、係止部材の支持面上での前向き移動を停止させることなく阻止することができるものである。
【００１６】
請求項３記載のものによれば、請求項１記載の発明による上記効果と同様な効果が得られるものである。
請求項４記載のものによれば、可動係合部材が、透孔、左右向き支持軸及び弾性部材を介して、各係止部材の移動に連動し他側範囲の支持面の下側に適時に退避移動するものとなり、請求項２記載の発明による上記した効果が簡易且つ安価な機構により得られるものである。
【００１７】
請求項５記載のものによれば、広範に長さの変化する人参の処理において、係止部材の相互間に存在した余分の人参を高い確率で排除できるものとなる。
【発明を実施するための最良の形態】
【００１８】
以下、本発明の具体的な一実施形態を図１〜図８を参照して詳述する。
図１は本発明の実施に使用される人参などの供給装置を示す斜視説明図である。
図中、１は細長状の平板の長手方向を縦面に沿って円滑に屈曲され且つ人参などの根菜類の最大長さの凡そ１．２〜１．５倍程度の巾寸法を有し且つ長手方向を前後方向に沿わせられると共に左右方向を水平となされ且つ上面を支持面１ａとなされた支持板で、前後方向途中を逆「へ」字状に屈曲され、前後方向の両端部に半円状の曲面１ｂ、１ｃを形成されている。２及び２は支持板１の左右両側に支持板１から上方へ幾分離して配設された側壁でフレーム３を介して固定されている。側壁２、２は上部を左右方向外側へ曲げた状態の大きなフレアの形成されたものとなすのがよい。
【００１９】
４は支持板１と各側壁２、２との間に形成された帯状開口ａ１、ａ１を支障の生じないように閉鎖するため各側壁２、２の内側に位置された方形状の側板で、被処理物押し移動手段１００の主要部材である係止部材としての係止ローラ５に随伴して移動するものである。
【００２０】
被処理物押し移動手段１００は多数の係止ローラ５とその駆動機構５Ａとからなっている。各係止ローラ５は回転自在となされていて支持面１ａ上の上り傾斜領域のみで一定方向への回転駆動可能となされているのであって、支持面１ａの支持始端ｂ１から支持終端ｂ２に至る範囲において、駆動機構５Ａを介して、支持面１ａ上をこれに沿って所定間隔ごとに連続して走行移動される構成となされている。
【００２１】
駆動機構５Ａの詳細は次のようなものとなされているのであって、即ち、曲面１ｂ、１ｃの曲率中心位置に入力軸６と従動軸７とが配設されており、これら各軸において支持板１の左右方向を挟んだ二個所にはスプロケット８・・・、９・・・が固定されている。そして支持板１の左右の同じ側に位置したスプロケット８、９の各相互間に無端状ヂエーン１０・・・が掛け回わされているのであり、各チェーン１０の途中部分はガイドスプロケット１１及びガイドプレート１２にて屈曲状に案内されるようになされている。
【００２２】
図２に示すように、多数の係止ローラ５は開口ａ１、ａ１を通じて支持面１ａを横断するように配置されていてチエーン１０・・・に所定間隔で且つ並行状に架設されており、このさいの所定間隔は例えば被処理物である根菜類の最大径の１．２〜１．８倍程度になされる。各係止ローラ５の支持構造は両端が左右一対のチエーン１０、１０に固定の鈎金具１４、１４により支持された中心軸１５を介して該軸１５回りの回動自在に装着されている。１６は各係止ローラ５の両端に形成された各細径部５ａの周面に弾圧接触する軌道体であって前記フレーム３にボルト１７・・・を介して位置調整自在に固定されており、その接触部１６ａは摩擦を良好となすためにゴム材となされる。
【００２３】
図１及び図２において、１８はその対応するチエーン１０の上半分を下方から支持するガイドプレートであり、また１９は図示しない原動機の動力を入力するためのスプロケット（又はプーリ）である。なお側板４はその対応するチエーン１０に金具２０を介して固定される。
【００２４】
入カスプロケット１９の矢印方向ｆｌの回動は、各チエーン１０、１０を支持面１ａに沿って周回変位させると共に係止ローラ５を支持面１ａ上の近傍位置でその支持始端ｂ１から支持終端ｂ２に向けて連続的に走行させ、且つこれと同時に各ローラ５の上り移動中にこれを矢印方向ｆ２へ強制的に回動させるものとなる。
【００２５】
２１は横送り手段１０１の主要部材をなす直交無端帯であって、支持面１ａの上り傾斜範囲に於ける一定区間に接してこれを跨ぐように配置され且つ、係止ローラ５の複数本が同時に真上で正対するものとなされると共に一定範囲の支持面１ａ上を右方向ｆ３へ連続的に強制移動されるものとなされている。
【００２６】
さらに具体的には、回転中心を前後向きとなされた駆動ローラ２２と案内ローラ２３とを対向配設して両ローラ２２、２３に直交無端帯２１をなす無端状の広幅ベルトを掛け回し、且つ駆動ローラ２２には入力軸１９から歯車機構２５を経て動力伝運させる構成となしてある。そして広幅ベルト２１の上側張面部は係止ローラ５・・・の下方に位置されて支持面１ａ上を摺接移動するようになされている。このさい広幅ベルト２１の外表面は摩擦の大きいものになすと共に好ましくは前後向き係止条２４ａ・・・を固定されたものになす。なお２６は軸受である。
【００２７】
図３〜図５に示すように、上り傾斜状となされた支持面１ａ上の前後方向途中で横送り手段１０１の前上方の支持面１ａの全幅範囲のうち右側の特定範囲ｈ１を除いた他側範囲ｈ２には複数（図示例では３個）の可動係合部材２７が他側範囲ｈ２の支持面１ａから突出した状態に配設されている。各可動係合部材２７は板状となされていて、他側範囲ｈ２の支持面１ａに形成された前後方向へ長い細長状の透孔２７ａ内に位置されると共に他側範囲ｈ２の支持面１ａの下側に配置されたフレーム３部分に支持された左右向き支持軸２７ｂに回動自在に支持されている。そして複数の可動係合部材２７は、被処理物ｗの長さに関連した特定間隔を置いて左右方向の一列状に配置される。このさい、特定間隔は被処理物ｗが人参であるときは、凡そ数ｃｍ〜１０ｃｍ程度となされるのであり、このような大きさとすれば、長さのバラツキが広範に及ぶ人参であっても可動係合部材２７はその機能を有効に奏するものとなる。
【００２８】
各可動係合部材２７は、側面視形状が概ね扇形となされており、その自由状態ではスプリングなどの弾性部材２７ｃの弾力で最上位置（図５に示す位置）に回動した状態に保持され、他側範囲ｈ２の支持面１ａから上方へ突出した状態となるのであり、該突出状態では各可動係合部材２７の上端縁の一部である被処理物案内辺部２７ｄは支持面の上側に位置されていて、支持面１ａからの突出高さを前方へ向かうほど漸次に増大されたものとなされると共に、前端ｃ１を支持面１ａと略同一高さとなされ後端ｃ２を係止ローラ５の高さと略同一かそれよりも高くなされ、その前後方向傾斜角度θを支持面１ａの傾斜角度や係止ローラ５の直径の大きさなどに基づいて後述の被処理物排除作用が有効に得られるように決定されている。
【００２９】
各可動係合部材２７の被処理物案内部２７ｄは支持面１ａ上を移動される係止ローラ５との接触面としても機能するもので、任意な一つの係止ローラ５が可動係合部材２７の位置を支持面１ａに沿って前上方へ移動するときに該係止ローラ５が該可動係合部材２７の存在位置を通過するまでその周面に接触するものとなされており、また前方へ移動される任意な一つの係止ローラ５が被処理物案内部２７ｄに接触したときのその押力により該係止ローラ５の移動に連動して前方へ押し変位されて、弾性部材２７ｃの弾力に抗しつつ左右向き支持軸２７ｂ回りへ回動され、他側範囲ｈ２の支持面１ａの下側へ退避移動するのであり、これにより各係止ローラ５は複数の可動係合部材２７の存在にも拘わらず、他側範囲ｈ２を支障なく前方へ通過するものとなる。
【００３０】
ここで、透孔２７ａ、左右向き支持軸２７ｂ及び弾性部材２７ｃは各可動係合部材２７を各係止ローラ５の移動に連動して該移動に支障のない場所へ退避移動させる連動支持機構をなすものであり、このような構成の連動支持機構は構造を簡易且つ安価となす上で有益である。該連動支持機構は種々に変形して差し支えないものである。
【００３１】
一方、上記特定範囲ｈ１は左右方向の長さを比較的小さい被処理物ｗである１個の根菜類の長さの０．２〜０．４倍程度の大きさとなすのであり、具体的には、例えば根菜類ｗが人参の場合には凡そ５ｃｍ〜１０ｃｍ程度となされる。特定範囲ｈ１の支持面１ａの上表面の全体或いは左右方向の一部は、根菜類ｗに対し特定範囲ｈ１以外の支持面１ａよりも大きな滑り抵抗を付与することのできる抵抗付与材（例えばゴム材又はこれと同等材）ｃ３で被われた状態となすのが好ましいのであり、図示例では左右方向の一部に厚さ０．２ｍｍ〜２．０ｍｍ程度のゴム板を抵抗付与材ｃ３として支持面１ａに貼着したものとなされている。該抵抗付与材ｃ３は支持面１ａと後述の弾性押圧手段２８とで挟持された人参ｗが左右方向へ抜け出るのを阻止する上で寄与する。
【００３２】
２８は特定範囲ｈ１の支持面１ａに上側から正対するように配設された弾性押圧手段である。この弾性押圧手段２８は図６に示すように、フレーム３に支持片２９を介して固定された基礎板３０と、この基礎板３０の下面から垂れ下がり状に延出された多数の弾性撓曲可能細長部材３１とからなっている。弾性撓曲可能細長部材３１は例えば弾性を有する合成樹脂材からなる線状物となすのであり、このさい全てが合成樹脂材で形成されたものであってもよいし或いはバネ線を合成樹脂で被覆したものなどであっても差し支えない。図示例では、複数の弾性撓曲可能細長部材３１が基礎板３０の下面に前後方向の単列状に固定されていると共に各弾性撓曲可能細長部材３１は前方視Ｕ字形状に屈曲されている。そして、弾性撓曲可能細長部材３１の列の最前方位置及び最後方位置には基礎板３０から延出された弾性撓曲可能な合成樹脂板３２、３２が左右向き縦面に沿った状態に配置されて最方前位置及び最後方位置の弾性撓曲可能細長部材３１のＵ字形状の内孔を前側及び後側から覆った状態となされている。この合成樹脂板３２は弾性撓曲可能細長部材３１のＵ字形状の内孔内に被処理物ｗなどが侵入するのを阻止する上で寄与するものである。
【００３３】
次に上記した実施例装置の使用例及びその作用を説明する。
作業者は入カスプロケット１９に動力を伝達させて該装置を作動状態になし、次に例えば被処理物である人参ｗを側壁２、２間の支持面１ａの支持始端ｂ１上である収容箱ｐ１の内方に図７に示すように適当量供給する。これにより人参ｗは被処理物押し移動手段１００の係止ローラ５・・・の相互間に単数又は複数個づつ嵌まり込むのであり、このように嵌まり込んだ人参ｗは係止ロ−ラ５・・・の走行移動に伴って支持面１ａの支持終端ｂ２に向かって搬送される。この搬送中に人参ｗが横送り手段１０１の直交無端帯２１の存在した支持面１ａに達した時に、前後で隣接した２つの係止ローラ５、５間に人参ｗが上下及び又は左右配置となって２個以上嵌まり込んいる場合には、これらのものは支持面１ａの前上がり傾斜部の案内作用、人参ｗに作用する重力作用、及び、直交無端帯２１の横送り作用などにより互いに押し合うと共に係止ローラ５の矢印方向ｆ２（図１参照）の回動による押出排除作用をも受け、落下し易い人参ｗが前上がり傾斜された支持面１ａ上の係止ローラ５を乗り越えて落下するものとなる。この結果、係止ローラ５の相互間の各々には横送り手段１０１の横送り作用で左右一側の側板４に押し当てられた状態の人参ｗのみが１個残った状態が高い確率で生成される。
【００３４】
しかし、収容箱ｐ１内の各人参ｗの長さが大きな範囲でばらついている場合には、任意な１つの係止ローラ５が直交無端帯２１を通り過ぎるとき、その係止ローラ５とこれの前側の係止ローラ５との間に複数（殆どの場合に２つ）の人参ｗが図７に示すように横向き姿勢の左右配列となって残存してしまうことが少なからず生じるのである。
【００３５】
このように複数の人参ｗが横向き姿勢の左右配列で残存したときには、少なくともそのうちの１個の人参ｗは、横送り手段１０１の横送り作用によりその長さ方向の一端が左側の側板４に押し当てられた状態なる。この後、係止ローラ５がさらに前送りされると、横向き姿勢の左右配列で残存している複数の人参ｗはその配列状態を保持しつつ前方へ押し移動され、やがて特定範囲ｈ１の支持面１ａと弾性押圧手段２８とは複数の人参ｗのうちの最右方のものの右端部分を弾圧した状態となる。
【００３６】
この状態ののちにさらに係止ローラ５が前送りされることにより左右配列の複数の横向き姿勢の人参ｗは係止ローラ５に押されて、やがて特定範囲ｈ１の支持面１ａ上又はこれの横方の他側範囲に達するのであり、このとき、特定範囲ｈ１の人参ｗは特定範囲ｈ１の支持面１ａと弾性押圧手段２８の弾性撓曲可能細長部材３１とによる挟持で支持面に弾圧状に押しつけられた状態でさらに前方の支持面１ａ上に押し移動されるものとなり、一方、他側範囲ｈ２の支持面１ａ上の人参ｗは弾性押圧手段で支持面に押しつけられるものとならず、他側範囲ｈ２の支持面１ａ上に単に載置された状態で前方へ向け押し移動される。
【００３７】
特定範囲ｈ１上で移動されている人参ｗはその長さが比較的大きいときには図７に示すようにその移動中に例えば最右側などの可動係合部材２７の被処理物案内部２７ｄに衝接することがあるが、このとき該人参ｗは弾性押圧手段２８で支持面１ａに押しつけられて前方移動されているため、その可動係合部材２７を前方へ押し変位させ、弾性部材２７ｃの弾力に抗して左右向き支持軸２７ｂ回りへ揺動させ、他側範囲ｈ２の支持面１ａの下側へ退避移動させ、他側範囲ｈ２を支持面１ａに押しつけられたままさらに前方の支持面１ａ上に押し移動される。したがって、特定範囲ｈ１上の人参ｗはその長短に拘わらず支持面１ａ上を支障なくさらに前方へ押し移動される。
【００３８】
一方、他側範囲ｈ２の他の人参ｗは細切れ片を除き、極めて高い確率で、その移動中に一つ又は複数の可動係合部材２７の被処理物案内部２７ｄに衝接するものとなり、このさいに弾性部材２７ｃの弾力で最上位置若しくはその近傍に保持されている可動係合部材２７の被処理物案内部２７ｄが該人参ｗの移動に関連してこれを支持面１ａから上方へ離れるように案内し、こうして支持面１ａから一定高さ以上に押し上げられた該人参ｗは、これを押し移動させている係止ローラ５の上側を乗り越えるように重力作用により落下し下側の支持面１ａ上を転がりながら逆流し、この落下中に該支持面上の係止ローラ５に引っ掛って停止したり、或いは収容箱ｐ１まで到達して停止する。
【００３９】
このような処理の結果、特定範囲ｈ１及び他側範囲ｈ２を経てこれの前方の支持面１ａ上に到達した係止ローラ５群の相互間の各々に１個のみの人参ｗが横向き姿勢となって右側の側板４に近接した状態で存在している状態が極めて高い確率で生成されるのであり、これにより人参ｗの１個づつを前後方向の適当な一定間隔ごとに配列し支持面１ａ上の左右一側へ押し寄せた状態で支持面１ａ上を前方へ移動させる搬送が行われる。
【００４０】
各係止ローラ５に押し移動され支持面１ａの支持終端ｂ２に達した１個づつの人参ｗは、支持終端ｂ２を過ぎた瞬間に、重力作用により図８に示すように下方へ落下される。これにより１個づつの人参ｗは係止ローラ５の前移動速度に関連した特定間隔で支持面１ａの支持終端ｂ２の下方の特定位置に供給されるものとなる。
【００４１】
上記した本実施例装置の前側に選別装置を延長状に連続させて設け、これら両装置を同期させて作動させると、前者装置は後者装置の受皿に対し被処理物である人参ｗの一個づつを一定タイミングで正確に供給するものとなる。このさい支持面１ａの支持終端ｂ２から送り出される人参ｗは排出落下間際まで係止ローラ５で左右方向の水平姿勢に規制され、しかも支持終端ｂ２から直接に、即ち傾斜案内樋などを経由することなく排出落下されるため、排出落下中における人参ｗは係止ローラ５に沿った水平姿勢となり、このことが選別装置の高精度選別に有益となる。
【図面の簡単な説明】
【００４２】
【図１】本発明を実施するための人参などの供給装置を示す斜視説明図である。
【図２】図１のｘ−ｘ部を示す断面図である。
【図３】上記供給装置の前上部を左後側から見た斜視図である。
【図４】上記供給装置の横送り手段の直ぐ上側の支持面周辺をその上方から見た図である。
【図５】図４のｘ１−ｘ１部を示す断面図である。
【図６】上記供給装置の弾性押圧手段を示し、Ａは右側方から見た図でＢは後側下方から見た図である。
【図７】上記供給装置の作動状態を示す図である。
【図８】上記供給装置の前上部を右前方から見た図である。
【符号の説明】
【００４３】
１ａ  支持面
５  係止部材（係止ローラ）
２７  可動係合部材
２７ａ  透孔
２７ｂ  左右向き支持軸
２７ｃ  弾性部材
２８  弾性押圧手段
１００  被処理物押し移動手段
１０１  横送り手段
ｂ１  支持始端
ｃ１  抵抗付与材
ｈ１  特定範囲
ｈ２  他側範囲
Ｐ１  収容箱
ｗ  被処理物（人参）
【図１】
2008001487.tif 000003
【図２】
2008001487.tif 000004
【図３】
2008001487.tif 000005
【図４】
2008001487.tif 000006
【図５】
2008001487.tif 000007
【図６】
2008001487.tif 000008
【図７】
2008001487.tif 000009
【図８】
2008001487.tif 000010